(57)【特許請求の範囲】
【請求項１】
ユーザ機器のためのチャネル状態情報を送信する方法であって、前記方法は、
周期的チャネル状態情報リポートを特定する上位階層信号を受信することと、
複数のチャネル状態情報参照信号（ＣＳＩ−ＲＳ）を受信することと、
前記複数のＣＳＩ−ＲＳの各々を測定することによりチャネル状態情報を生成することと、
前記上位階層信号に基づいて前記生成されたチャネル状態情報を送信することと
を含み、
前記上位階層信号は、前記周期的チャネル状態情報リポートに対する複数の設定を含み、
前記生成されたチャネル状態情報を送信するために使われるアップリンクサブフレームを指示するインデックスが、前記周期的チャネル状態情報リポートに対する複数の設定の各々に対して設定される、方法。
【請求項２】
前記生成されたチャネル状態情報は、前記アップリンクサブフレームのＰＵＣＣＨ（ｐｈｙｓｉｃａｌ  ｕｐｌｉｎｋ  ｃｏｎｔｒｏｌ  ｃｈａｎｎｅｌ）を介して送信される、請求項１に記載の方法。
【請求項３】
前記周期的チャネル状態情報リポートに対する複数の設定の各々は、第１のインデックスと第２のインデックスを含み、
前記第１のインデックス及び前記第２のインデックスの各々は、前記生成されたチャネル状態情報を送信することができるサブフレームに対する周期及びサブフレームオフセット値を指示する、請求項１に記載の方法。
【請求項４】
第１のＣＳＩ−ＲＳが第１のダウンリンクサブフレームで受信され、第２のＣＳＩ−ＲＳが第２のダウンリンクサブフレームで受信される場合、前記第１のＣＳＩ−ＲＳに対するチャネル状態情報は、前記第１のインデックスによって指示される第１のアップリンクサブフレームを介して送信され、前記第２のＣＳＩ−ＲＳに対するチャネル状態情報は、前記第２のインデックスによって指示される第２のアップリンクサブフレームを介して送信される、請求項３に記載の方法。
【請求項５】
無線信号を送受信するように構成されるＲＦ（Ｒａｄｉｏ  Ｆｒｅｑｕｅｎｃｙ）部と、
前記ＲＦ部と連結されるプロセッサと
を含むユーザ機器（ＵＥ）であって、
前記プロセッサは、
周期的チャネル状態情報リポートを特定する上位階層信号を受信することと、
複数のチャネル状態情報参照信号（ＣＳＩ−ＲＳ）を受信することと、
前記複数のＣＳＩ−ＲＳの各々を測定することによりチャネル状態情報を生成することと、
前記上位階層信号に基づいて前記生成されたチャネル状態情報を送信することと
を実行するように構成され、
前記上位階層信号は、前記周期的チャネル状態情報リポートに対する複数の設定を含み、
前記生成されたチャネル状態情報を送信するために使われるアップリンクサブフレームを指示するインデックスが、前記周期的チャネル状態情報リポートに対する複数の設定の各々に対して設定される、ＵＥ。
【請求項６】
前記生成されたチャネル状態情報は、前記アップリンクサブフレームのＰＵＣＣＨ（ｐｈｙｓｉｃａｌ  ｕｐｌｉｎｋ  ｃｏｎｔｒｏｌ  ｃｈａｎｎｅｌ）を介して送信される、請求項５に記載のＵＥ。
【請求項７】
前記周期的チャネル状態情報リポートに対する複数の設定の各々は、第１のインデックスと第２のインデックスを含み、
前記第１のインデックス及び前記第２のインデックスの各々は、前記生成されたチャネル状態情報を送信することができるサブフレームに対する周期及びサブフレームオフセット値を指示する、請求項５に記載のＵＥ。
【請求項８】
第１のＣＳＩ−ＲＳが第１のダウンリンクサブフレームで受信され、第２のＣＳＩ−ＲＳが第２のダウンリンクサブフレームで受信される場合、前記第１のＣＳＩ−ＲＳに対するチャネル状態情報は、前記第１のインデックスによって指示される第１のアップリンクサブフレームを介して送信され、前記第２のＣＳＩ−ＲＳに対するチャネル状態情報は、前記第２のインデックスによって指示される第２のアップリンクサブフレームを介して送信される、請求項７に記載のＵＥ。
【発明の詳細な説明】
【技術分野】
【０００１】
本発明は、無線通信に関し、より詳しくは、多重ノードシステムにおいて、端末がチャネル状態情報を送信する方法及び装置に関する。
【背景技術】
【０００２】
最近、無線通信ネットワークのデータ送信量が益々増加している。その理由は、Ｍ２Ｍ（Ｍａｃｈｉｎｅ−ｔｏ−Ｍａｃｈｉｎｅ）通信及び高いデータ送信量を要求するスマートフォン、タブレットＰＣなど、多様なデバイスの出現及び普及のためである。要求される高いデータ送信量を満たすために、より多くの周波数帯域を効率的に使用する搬送波集約（ｃａｒｒｉｅｒ  ａｇｇｒｅｇａｔｉｏｎ）技術、コグニティブ無線（ｃｏｇｎｉｔｉｖｅ  ｒａｄｉｏ）技術などと限定された周波数内でデータ容量を高めるために、多重アンテナ技術、多重基地局協力技術などが最近浮かび上がっている。
【０００３】
また、無線通信ネットワークは、ユーザ周辺にアクセスすることができるノード（ｎｏｄｅ）の密度が高まる方向に進化している。ここで、ノードとは、分散アンテナシステム（ｄｉｓｔｒｉｂｕｔｅｄ  ａｎｔｅｎｎａ  ｓｙｓｔｅｍ、ＤＡＳ）から一定間隔以上離れたアンテナ又はアンテナグループを意味するが、このような意味に限定されるものではなく、さらに広い意味で使われることもできる。即ち、ノードは、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器などになることもできる。このような高い密度のノードを備えた無線通信システムは、ノード間の協力により高いシステム性能を示すことができる。即ち、各ノードが独立的な基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）等）として動作して互いに協力しない時より、各ノードが一つの制御局により送受信の管理を受けて一つのセルに対するアンテナ又はアンテナグループのように動作する場合、さらに優れたシステム性能を示すことができる。以下、複数のノードを含む無線通信システムを多重ノードシステムという。
【０００４】
多重ノードシステムでは、端末に信号を送信するノードが端末別に異なってもよく、複数個設定されてもよい。このとき、各ノード別に互いに異なる参照信号（ｒｅｆｅｒｅｎｃｅ  ｓｉｇｎａｌ）を送信することができる。この場合、端末は、複数の参照信号を利用して各ノード間に対するチャネル状態を測定し、チャネル状態情報を周期的にフィードバックすることができる。この場合、チャネル状態情報をフィードバックする無線リソースを端末に割り当てる方式が問題となる。
【発明の概要】
【発明が解決しようとする課題】
【０００５】
多重ノードシステムにおいて、チャネル状態情報送信方法及び装置を提供する。
【課題を解決するための手段】
【０００６】
一側面において、端末のチャネル状態情報送信方法が提供される。前記方法は、チャネル状態情報を送信することができるＰＵＣＣＨ（ｐｈｙｓｉｃａｌ  ｕｐｌｉｎｋ  ｃｏｎｔｒｏｌ  ｃｈａｎｎｅｌ）リソースが複数個設定され、複数個の参照信号を受信し、前記複数個の参照信号の各々を測定してチャネル状態情報を生成し、及び前記複数個の参照信号の各々に対するチャネル状態情報を前記複数個のＰＵＣＣＨリソースを介して送信することを特徴とする。
【０００７】
前記複数個の参照信号の各々は、互いに異なるノードから受信し、前記互いに異なるノードは、一つの基地局により制御されるノードである。
【０００８】
前記複数個のＰＵＣＣＨリソースは、上位階層信号を介して受信する複数個のＰＵＣＣＨ設定情報を介して設定される。
【０００９】
前記複数個のＰＵＣＣＨ設定情報の各々は、前記チャネル状態情報を送信する周期と前記チャネル状態情報を送信するサブフレームオフセット値を指示するインデックスである。
【００１０】
前記複数個のＰＵＣＣＨ設定情報は、前記チャネル状態情報を送信する第１の周期と前記チャネル状態情報を送信する第１のサブフレームオフセット値を指示する第１のインデックスと前記第２のサブフレームオフセット値を含み、前記第２のサブフレームオフセット値は、前記第１のサブフレームオフセット値との差分値として与えられる。
【００１１】
前記複数個のＰＵＣＣＨリソースは、互いに異なるアップリンクサブフレームに位置する。
【００１２】
前記複数個のＰＵＣＣＨリソースは、上位階層信号を介して受信する複数個のＰＵＣＣＨリソースインデックスを介して設定され、前記複数個のＰＵＣＣＨリソースは、同一アップリンクサブフレーム内に位置して互いに重ならない。
【００１３】
前記複数個のＰＵＣＣＨリソースインデックスを介して前記チャネル状態情報を送信するＰＵＣＣＨに使われる直交シーケンスインデックス、循環シフトインデックス、及び物理的リソースインデックスを決定する。
【００１４】
他の側面において、端末が提供される。前記端末は、無線信号を送受信するＲＦ部；及び、前記ＲＦ部に連結されるプロセッサ；を含み、前記プロセッサは、チャネル状態情報を送信することができるＰＵＣＣＨ（ｐｈｙｓｉｃａｌ  ｕｐｌｉｎｋ  ｃｏｎｔｒｏｌ  ｃｈａｎｎｅｌ）リソースが複数個設定され、複数個の参照信号を受信し、前記複数個の参照信号の各々を測定してチャネル状態情報を生成し、及び前記複数個の参照信号の各々に対するチャネル状態情報を前記複数個のＰＵＣＣＨリソースを介して送信することを特徴とする。
【００１５】
前記複数個の参照信号の各々は、互いに異なるノードから受信し、前記互いに異なるノードは、一つの基地局により制御されるノードである。
【００１６】
前記複数個のＰＵＣＣＨリソースは、上位階層信号を介して受信する複数個のＰＵＣＣＨ設定情報を介して設定される。
【００１７】
前記複数個のＰＵＣＣＨ設定情報の各々は、前記チャネル状態情報を送信する周期と前記チャネル状態情報を送信するサブフレームオフセット値を指示するインデックスである。
【００１８】
前記複数個のＰＵＣＣＨ設定情報は、前記チャネル状態情報を送信する第１の周期と前記チャネル状態情報を送信する第１のサブフレームオフセット値を指示する第１のインデックスと前記第２のサブフレームオフセット値を含み、前記第２のサブフレームオフセット値は、前記第１のサブフレームオフセット値との差分値として与えられる。
【００１９】
前記複数個のＰＵＣＣＨリソースは、互いに異なるアップリンクサブフレームに位置する。
【００２０】
前記複数個のＰＵＣＣＨリソースは、上位階層信号を介して受信する複数個のＰＵＣＣＨリソースインデックスを介して設定され、前記複数個のＰＵＣＣＨリソースは、同一アップリンクサブフレーム内に位置して互いに重ならない。
【００２１】
前記複数個のＰＵＣＣＨリソースインデックスを介して前記チャネル状態情報を送信するＰＵＣＣＨに使われる直交シーケンスインデックス、循環シフトインデックス、及び物理的リソースインデックスを決定する。
例えば、本願発明は以下の項目を提供する。
（項目１）
端末のチャネル状態情報送信方法において、
チャネル状態情報を送信することができるＰＵＣＣＨ（ｐｈｙｓｉｃａｌ  ｕｐｌｉｎｋ  ｃｏｎｔｒｏｌ  ｃｈａｎｎｅｌ）リソースが複数個設定され、
複数個の参照信号を受信し、
前記複数個の参照信号の各々を測定してチャネル状態情報を生成し、及び
前記複数個の参照信号の各々に対するチャネル状態情報を前記複数個のＰＵＣＣＨリソースを介して送信することを特徴とする方法。
（項目２）
前記複数個の参照信号の各々は、互いに異なるノードから受信し、前記互いに異なるノードは、一つの基地局により制御されるノードであることを特徴とする項目１に記載の方法。
（項目３）
前記複数個のＰＵＣＣＨリソースは、上位階層信号を介して受信する複数個のＰＵＣＣＨ設定情報を介して設定されることを特徴とする項目１に記載の方法。
（項目４）
前記複数個のＰＵＣＣＨ設定情報の各々は、前記チャネル状態情報を送信する周期と前記チャネル状態情報を送信するサブフレームオフセット値を指示するインデックスであることを特徴とする項目３に記載の方法。
（項目５）
前記複数個のＰＵＣＣＨ設定情報は、前記チャネル状態情報を送信する第１の周期と前記チャネル状態情報を送信する第１のサブフレームオフセット値を指示する第１のインデックスと前記第２のサブフレームオフセット値を含み、前記第２のサブフレームオフセット値は、前記第１のサブフレームオフセット値との差分値として与えられることを特徴とする項目３に記載の方法。
（項目６）
前記複数個のＰＵＣＣＨリソースは、互いに異なるアップリンクサブフレームに位置することを特徴とする項目３に記載の方法。
（項目７）
前記複数個のＰＵＣＣＨリソースは、上位階層信号を介して受信する複数個のＰＵＣＣＨリソースインデックスを介して設定され、前記複数個のＰＵＣＣＨリソースは、同一アップリンクサブフレーム内に位置して互いに重ならないことを特徴とする項目１に記載の方法。
（項目８）
前記複数個のＰＵＣＣＨリソースインデックスを介して前記チャネル状態情報を送信するＰＵＣＣＨに使われる直交シーケンスインデックス、循環シフトインデックス、及び物理的リソースインデックスを決定することを特徴とする項目７に記載の方法。
（項目９）
無線信号を送受信するＲＦ部；及び、
前記ＲＦ部に連結されるプロセッサ；を含み、
前記プロセッサは、チャネル状態情報を送信することができるＰＵＣＣＨ（ｐｈｙｓｉｃａｌ  ｕｐｌｉｎｋ  ｃｏｎｔｒｏｌ  ｃｈａｎｎｅｌ）リソースが複数個設定され、複数個の参照信号を受信し、前記複数個の参照信号の各々を測定してチャネル状態情報を生成し、及び前記複数個の参照信号の各々に対するチャネル状態情報を前記複数個のＰＵＣＣＨリソースを介して送信することを特徴とする端末。
（項目１０）
前記複数個の参照信号の各々は、互いに異なるノードから受信し、前記互いに異なるノードは、一つの基地局により制御されるノードであることを特徴とする項目９に記載の端末。
（項目１１）
前記複数個のＰＵＣＣＨリソースは、上位階層信号を介して受信する複数個のＰＵＣＣＨ設定情報を介して設定されることを特徴とする項目９に記載の端末。
（項目１２）
前記複数個のＰＵＣＣＨ設定情報の各々は、前記チャネル状態情報を送信する周期と前記チャネル状態情報を送信するサブフレームオフセット値を指示するインデックスであることを特徴とする項目１１に記載の端末。
（項目１３）
前記複数個のＰＵＣＣＨ設定情報は、前記チャネル状態情報を送信する第１の周期と前記チャネル状態情報を送信する第１のサブフレームオフセット値を指示する第１のインデックスと前記第２のサブフレームオフセット値を含み、前記第２のサブフレームオフセット値は、前記第１のサブフレームオフセット値との差分値として与えられることを特徴とする項目１１に記載の端末。
（項目１４）
前記複数個のＰＵＣＣＨリソースは、互いに異なるアップリンクサブフレームに位置することを特徴とする項目１１に記載の端末。
（項目１５）
前記複数個のＰＵＣＣＨリソースは、上位階層信号を介して受信する複数個のＰＵＣＣＨリソースインデックスを介して設定され、前記複数個のＰＵＣＣＨリソースは、同一アップリンクサブフレーム内に位置して互いに重ならないことを特徴とする項目９に記載の端末。
（項目１６）
前記複数個のＰＵＣＣＨリソースインデックスを介して前記チャネル状態情報を送信するＰＵＣＣＨに使われる直交シーケンスインデックス、循環シフトインデックス、及び物理的リソースインデックスを決定することを特徴とする項目１５に記載の端末。
【発明の効果】
【００２２】
多重ノードシステムにおける各ノードは、互いに異なる参照信号を送信することができる。このとき、端末に複数のノードが割り当てられることができる。この場合、端末は、複数の参照信号を測定して周期的チャネル状態情報をフィードバックすることができる。このとき、従来と違って、端末に複数のアップリンク制御チャネルを送信することができる複数のリソースを割り当てる。端末は、複数の周期的チャネル状態情報を効率的にフィードバックすることができる。
【図面の簡単な説明】
【００２３】
【図１】多重ノードシステムの例を示す。
【図２】３ＧＰＰ  ＬＴＥにおけるＦＤＤ（Ｆｒｅｑｕｅｎｃｙ  Ｄｉｖｉｓｉｏｎ  Ｄｕｐｌｅｘ）無線フレームの構造を示す。
【図３】３ＧＰＰ  ＬＴＥにおけるＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。
【図４】一つのダウンリンクスロットに対するリソースグリッド（ｒｅｓｏｕｒｃｅ  ｇｒｉｄ）を示す例示図である。
【図５】ダウンリンクサブフレーム構造の一例を示す。
【図６】アップリンクサブフレームの構造を示す。
【図７】リソースインデックスと物理的リソースのマッピングの一例を示す。
【図８】ノーマルＣＰで、ＣＲＳのマッピングを示す。
【図９】ノーマルＣＰで、ＣＳＩ−ＲＳ設定０に対するＣＳＩ−ＲＳのマッピングを示す。
【図１０】一つの端末が測定しなければならない複数のＣＳＩ−ＲＳを例示する。
【図１１】同一サブフレームで送信される複数のＣＳＩ−ＲＳが同一端末に設定される例を示す。
【図１２】本発明の一実施例に係る端末のＣＳＩ送信方法を示す。
【図１３】端末に設定された複数のＣＳＩ−ＲＳに対するＣＳＩを複数のサブフレームに存在する複数のＰＵＣＣＨを介して送信する例を示す。
【図１４】同一端末に設定された複数のＣＳＩ−ＲＳに対するＣＳＩを同一サブフレームの複数のＰＵＣＣＨでフィードバックする一例を示す。
【図１５】同一端末に設定された複数のＣＳＩ−ＲＳに対するＣＳＩを同一サブフレームの複数のＰＵＣＣＨでフィードバックする他の例を示す。
【図１６】基地局及び端末を示すブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（ＥｖｏｌｖｅｄＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。
【００２５】
図１は、多重ノードシステムの例を示す。
【００２６】
図１を参照すると、多重ノードシステムは、基地局及び複数のノードを含む。
【００２７】
図１において、ノードは、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、中継器、分散されたアンテナなどを意味する。このようなノードは、ポイント（ｐｏｉｎｔ）とも呼ばれる。
【００２８】
多重ノードシステムにおいて、全てのノードが一つの基地局コントローラにより送受信の管理を受けて個別ノードが一つのセルの一部のように動作する場合、このシステムは、一つのセルを形成する分散アンテナシステム（ｄｉｓｔｒｉｂｕｔｅｄ  ａｎｔｅｎｎａ  ｓｙｓｔｅｍ、ＤＡＳ）と見なすことができる。分散アンテナシステムにおいて、個別ノードは、別途のノードＩＤを与えられることもでき、別途のノードＩＤなしにセル内の一部アンテナ集団のように動作することもできる。即ち、分散アンテナシステム（ｄｉｓｔｒｉｂｕｔｅｄ  ａｎｔｅｎｎａ  ｓｙｓｔｅｍ、ＤＡＳ）は、アンテナ（即ち、ノード）がセル（ｃｅｌｌ）内の多様な位置に分散されて配置され、このようなアンテナを基地局が管理するシステムを意味する。分散アンテナシステムは、基地局のアンテナがセル中央に集中して配置される点が従来の集中アンテナシステム（Ｃｅｎｔｒａｌｉｚｅｄ  ａｎｔｅｎｎａ  ｓｙｓｔｅｍ、ＣＡＳ）と異なる。
【００２９】
多重ノードシステムにおいて、個別ノードが個別的なセルＩＤを有し、スケジューリング及びハンドオーバを実行する場合、これは多重セル（例えば、マクロセル／フェムトセル／ピコセル）システムと見なすことができる。このような多重セルがカバレッジによって重なる形態で構成される場合、これを多重階層ネットワーク（ｍｕｌｔｉ−ｔｉｅｒ  ｎｅｔｗｏｒｋ）という。
【００３０】
図２は、３ＧＰＰ  ＬＴＥにおけるＦＤＤ（Ｆｒｅｑｕｅｎｃｙ  Ｄｉｖｉｓｉｏｎ  Ｄｕｐｌｅｘ）無線フレームの構造を示す。このような無線フレーム構造をフレーム構造タイプ１という。
【００３１】
図２を参照すると、ＦＤＤ無線フレーム（ｒａｄｉｏ  ｆｒａｍｅ）は、１０個のサブフレーム（ｓｕｂｆｒａｍｅ）で構成され、一つのサブフレームは、２個の連続するスロット（ｓｌｏｔ）で構成される。一つのサブフレームの送信にかかる時間をＴＴＩ（ｔｒａｎｓｍｉｓｓｉｏｎ  ｔｉｍｅ  ｉｎｔｅｒｖａｌ）という。無線フレームの時間長さＴｆ＝３０７２００＊Ｔｓ＝１０ｍｓであり、２０個のスロットで構成される。スロットの時間長さＴｓｌｏｔ＝１５３６０＊Ｔｓ＝０．５ｍｓであり、０〜１９のナンバが付けられる。各ノード又は基地局が端末に信号を送信するダウンリンクと、端末が各ノード又は基地局に信号を送信するアップリンクとは、周波数領域で区分される。
【００３２】
図３は、３ＧＰＰ  ＬＴＥにおけるＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。このような無線フレーム構造をフレーム構造タイプ２という。
【００３３】
図３を参照すると、ＴＤＤ無線フレームは、１０ｍｓの長さを有し、５ｍｓの長さを有する二つの半フレーム（ｈａｌｆ−ｆｒａｍｅ）で構成される。また、一つの半フレームは、１ｍｓの長さを有する５個のサブフレームで構成される。一つのサブフレームは、アップリンクサブフレーム（ＵＬ  ｓｕｂｆｒａｍｅ）、ダウンリンクサブフレーム（ＤＬ  ｓｕｂｆｒａｍｅ）、特殊サブフレーム（ｓｐｅｃｉａｌ  ｓｕｂｆｒａｍｅ）のうちいずれか一つに指定される。一つの無線フレームは、少なくとも一つのアップリンクサブフレームと少なくとも一つのダウンリンクサブフレームとを含む。一つのサブフレームは、２個の連続するスロット（ｓｌｏｔ）で構成される。例えば、一つのサブフレームの長さは１ｍｓであり、一つのスロットの長さは０．５ｍｓである。
【００３４】
特殊サブフレームは、アップリンクサブフレームとダウンリンクサブフレームとの間でアップリンク及びダウンリンクを分離させる特定区間（ｐｅｒｉｏｄ）である。一つの無線フレームには少なくとも一つの特殊サブフレームが存在し、特殊サブフレームは、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、初期セル探索、同期化又はチャネル推定に使われる。ＵｐＰＴＳは、基地局におけるチャネル推定と端末のアップリンク送信同期を合わせるときに使われる。保護区間は、アップリンクとダウンリンクとの間にダウンリンク信号の多重経路遅延のためアップリンクで発生する干渉を除去するための区間である。
【００３５】
ＦＤＤ及びＴＤＤ無線フレームにおいて、一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数のリソースブロック（ｒｅｓｏｕｒｃｅ  ｂｌｏｃｋ、ＲＢ）を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によってＳＣ−ＦＤＭＡシンボルのように他の用語で呼ばれることもある。リソースブロックは、リソース割当単位であり、一つのスロットで複数の連続する副搬送波を含む。
【００３６】
無線フレームの構造は、例示に過ぎず、無線フレームに含まれるサブフレームの数又はサブフレームに含まれるスロットの数、スロットに含まれるＯＦＤＭシンボルの数は多様に変更されることができる。
【００３７】
図４は、一つのダウンリンクスロットに対するリソースグリッド（ｒｅｓｏｕｒｃｅ  ｇｒｉｄ）を示す例示図である。
【００３８】
図４を参照すると、一つのダウンリンクスロットは、時間領域（ｔｉｍｅ  ｄｏｍａｉｎ）で複数のＯＦＤＭシンボルを含む。ここで、一つのダウンリンクスロットは、７ＯＦＤＭＡシンボルを含み、一つのリソースブロック（ＲＢ）は、周波数領域で１２副搬送波（ｓｕｂｃａｒｒｉｅｒ）を含むことを例示的に記述するが、これに制限されるものではない。
【００３９】
リソースグリッド上の各要素（ｅｌｅｍｅｎｔ）をリソース要素（ｒｅｓｏｕｒｃｅ  ｅｌｅｍｅｎｔ）といい、一つのリソースブロック（ＲＢ）は、１２×７個のリソース要素を含む。ダウンリンクスロットに含まれるリソースブロックの数ＮＤＬは、セルで設定されるダウンリンク送信帯域幅（ｂａｎｄｗｉｄｔｈ）に従属する。前述したダウンリンクスロットに対するリソースグリッドは、アップリンクスロットにも適用されることができる。
【００４０】
図５は、ダウンリンクサブフレーム構造の一例を示す。
【００４１】
図５を参照すると、サブフレームは連続する２個のスロットを含む。サブフレーム内の第１のスロットの前方部の最大３ＯＦＤＭシンボルは、ダウンリンク制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４２】
ダウンリンク制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などが含まれる。サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対する情報を伝送する。ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、アップリンクリソース割当情報、ダウンリンクリソース割当情報、及び任意のＵＥグループに対するアップリンク送信パワー制御命令（Ｔｒａｎｓｍｉｔ  Ｐｏｗｅｒ  Ｃｏｎｔｒｏｌ  Ｃｏｍｍａｎｄ）などを示す。ＤＣＩは、多様なフォーマットを有する。ＤＣＩフォーマット０は、ＰＵＳＣＨスケジューリングのために使われる。ＤＣＩフォーマット０を介して送信される情報（フィールド）は、下記の通りである。
【００４３】
１）ＤＣＩフォーマット０とＤＣＩフォーマット１Ａを区分するためのフラグ（０の場合、ＤＣＩフォーマット０を指示し、１の場合、ＤＣＩフォーマット１Ａを指示する）、２）ホッピングフラグ（１ビット）、３）リソースブロック指定及びホッピングリソース割当、４）変調及びコーディングスキーム及び冗長バージョン（ｒｅｄｕｎｄａｎｃｙ  ｖｅｒｓｉｏｎ）（５ビット）、５）新たなデータ指示子（１ビット）、６）スケジューリングされたＰＵＳＣＨに対するＴＰＣ命令（２ビット）、７）ＤＭ−ＲＳのための循環シフト（３ビット）、８）ＵＬインデックス、９）ダウンリンク指定インデックス（ＴＤＤにのみ）、１０）ＣＱＩ要求などである。もし、ＤＣＩフォーマット０において、情報ビットの個数がＤＣＩフォーマット１Ａのペイロードサイズより小さい場合には、ＤＣＩフォーマット１Ａとペイロードサイズが同じになるように‘０’はパディングされる。
【００４４】
ＤＣＩフォーマット１は、一つのＰＤＳＣＨコードワードスケジューリングに使われる。ＤＣＩフォーマット１Ａは、一つのＰＤＳＣＨコードワードの簡単な（ｃｏｍｐａｃｔ）スケジューリング又はランダムアクセス過程に使われる。ＤＣＩフォーマット１Ｂは、プリコーディング情報を含み、一つのＰＤＳＣＨコードワードに対する簡単なスケジューリングに使われる。ＤＣＩフォーマット１Ｃは、一つのＰＤＳＣＨコードワードに対する非常に簡単なスケジューリング（ｖｅｒｙ  ｃｏｍｐａｃｔｓ  ｃｈｅｄｕｌｉｎｇ）に使われる。ＤＣＩフォーマット１Ｄは、プリコーディング及び電力オフセット情報を含み、一つのＰＤＳＣＨコードワードに対する簡単なスケジューリングに使われる。ＤＣＩフォーマット２は、閉ループＭＩＭＯ動作のためのＰＤＳＣＨ指定のために使われる。ＤＣＩフォーマット２Ａは、開ループＭＩＭＯ動作のためのＰＤＳＣＨ指定のために使われる。ＤＣＩフォーマット３は、２ビットの電力調整を介してＰＵＣＣＨ及びＰＵＳＣＨに対するＴＰＣ命令を送信するために使われる。ＤＣＩフォーマット３Ａは、１ビットの電力調整を介してＰＵＣＣＨ及びＰＵＳＣＨに対するＴＰＣ命令を送信するために使われる。
【００４５】
ＰＨＩＣＨは、アップリンクデータのＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を伝送する。即ち、端末が送信したアップリンクデータに対するＡＣＫ／ＮＡＣＫ信号は、ＰＨＩＣＨ上に基地局により送信される。
【００４６】
ＰＤＳＣＨは、制御情報及び／又はデータが送信されるチャネルである。端末は、ＰＤＣＣＨを介して送信される制御情報をデコーディングしてＰＤＳＣＨを介して送信されるデータを読み取ることができる。
【００４７】
図６は、アップリンクサブフレームの構造を示す。
【００４８】
アップリンクサブフレームは、周波数領域で制御領域（ｃｏｎｔｒｏｌ  ｒｅｇｉｏｎ）とデータ領域（ｄａｔａ  ｒｅｇｉｏｎ）とに分けられることができる。制御領域には、アップリンク制御情報（ｕｐｌｉｎｋ  ｃｏｎｔｒｏｌ  ｉｎｆｏｒｍａｔｉｏｎ、ＵＣＩ）が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、アップリンクデータ及び／又はアップリンク制御情報が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。このような意味で、制御領域はＰＵＣＣＨ領域ということができ、データ領域はＰＵＳＣＨ領域ということができる。上位階層で指示される設定情報によって、端末は、ＰＵＳＣＨとＰＵＣＣＨの同時送信をサポートし、又はＰＵＳＣＨとＰＵＣＣＨの同時送信をサポートしない。
【００４９】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックとアップリンク制御情報が多重化されたものである。例えば、アップリンクデータに多重化されるアップリンク制御情報には、ＣＱＩ（ｃｈａｎｎｅｌ  ｑｕａｌｉｔｙ  ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＨＡＲＱ（ｈｙｂｒｉｄ  ａｕｔｏｍａｔｉｃ  ｒｅｐｅａｔ  ｒｅｑｕｅｓｔ）、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）、ＲＩ（Ｒａｎｋ  Ｉｎｄｉｃａｔｏｒ）、ＰＴＩ（ｐｒｅｃｏｄｉｎｇ  ｔｙｐｅ  ｉｎｄｉｃａｔｉｏｎ）などがある。このようにアップリンク制御情報がアップリンクデータと共にデータ領域で送信されることをＵＣＩのピギーバック（ｐｉｇｇｙｂａｃｋ）送信という。ＰＵＳＣＨではアップリンク制御情報のみ送信されることもできる。
【００５０】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピングされた（ｆｒｅｑｕｅｎｃｙ−ｈｏｐｐｅｄ）という。端末がアップリンク制御情報を時間によって互いに異なる副搬送波を介して送信することによって、周波数ダイバーシティ（ｄｉｖｅｒｓｉｔｙ）利得を得ることができる。
【００５１】
ＰＵＣＣＨは、フォーマット（ｆｏｒｍａｔ）によって多様な種類の制御情報を伝送する。ＰＵＣＣＨフォーマット１は、スケジューリング要求（ＳＲ；Ｓｃｈｅｄｕｌｉｎｇ  Ｒｅｑｕｅｓｔ）を伝送する。このとき、ＯＯＫ（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｎａｒｙ  Ｐｈａｓｅ  Ｓｈｉｆｔ  Ｋｅｙｉｎｇ）方式に変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を伝送する。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式に変調されたＡＣＫ／ＮＡＣＫを伝送する。ＰＵＣＣＨフォーマット２は、ＱＰＳＫ方式に変調されたＣＱＩ（Ｃｈａｎｎｅｌ  Ｑｕａｌｉｔｙ  Ｉｎｄｉｃａｔｏｒ）を伝送する。ＰＵＣＣＨフォーマット２ａと２ｂは、ＣＱＩとＡＣＫ／ＮＡＣＫを伝送する。ＰＵＣＣＨフォーマット３は、ＱＰＳＫ方式に変調され、複数のＡＣＫ／ＮＡＣＫ、ＳＲを伝送することができる。
【００５２】
各ＰＵＣＣＨフォーマットは、ＰＵＣＣＨ領域にマッピングされて送信される。例えば、ＰＵＣＣＨフォーマット２／２ａ／２ｂは、端末に割り当てられた帯域の境界のリソースブロック（図６において、ｍ＝０，１）にマッピングされて送信される。混合ＰＵＣＣＨリソースブロック（ｍｉｘｅｄ  ＰＵＣＣＨ  ＲＢ）は、前記ＰＵＣＣＨフォーマット２／２ａ／２ｂが割り当てられるリソースブロックに前記帯域の中心方向に隣接したリソースブロック（例えば、ｍ＝２）にマッピングされて送信されることができる。ＳＲ、ＡＣＫ／ＮＡＣＫが送信されるＰＵＣＣＨフォーマット１／１ａ／１ｂは、ｍ＝４又はｍ＝５であるリソースブロックに配置されることができる。ＣＱＩが送信されるＰＵＣＣＨフォーマット２／２ａ／２ｂに使われることができるリソースブロックの数（Ｎ（２）ＲＢ）は、ブロードキャスティングされる信号を介して端末に指示されることができる。
【００５３】
全てのＰＵＣＣＨフォーマットは、各ＯＦＤＭシンボルでシーケンスの循環シフト（ｃｙｃｌｉｃ  ｓｈｉｆｔ、ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）ほど循環シフトさせて生成される。特定ＣＳ量は、循環シフトインデックス（ＣＳ  ｉｎｄｅｘ）により指示される。
【００５４】
基本シーケンスｒｕ（ｎ）を定義した一例は、以下の数式の通りである。
【００５５】
【数１】
0005716132.tif 000002
ここで、ｕはルートインデックス（ｒｏｏｔ  ｉｎｄｅｘ）であり、ｎは要素インデックスであり、０≦ｎ≦Ｎ−１、Ｎは基本シーケンスの長さである。ｂ（ｎ）は、３ＧＰＰ  ＴＳ  ３６．２１１  Ｖ８．７．０の５．５節で定義されている。
【００５６】
シーケンスの長さは、シーケンスに含まれる要素（ｅｌｅｍｅｎｔ）の数と同じである。ｕは、セルＩＤ（ｉｄｅｎｔｉｆｉｅｒ）、無線フレーム内のスロット番号などにより定められることができる。基本シーケンスが周波数領域で一つのリソースブロックにマッピング（ｍａｐｐｉｎｇ）されるとする時、一つのリソースブロックが１２副搬送波を含むため、基本シーケンスの長さＮは１２となる。異なるルートインデックスによって異なる基本シーケンスが定義される。
【００５７】
基本シーケンスｒ（ｎ）を以下の数式２のように循環シフトさせ、循環シフトされたシーケンスｒ（ｎ，Ｉｃｓ）を生成することができる。
【００５８】
【数２】
0005716132.tif 000003
ここで、Ｉｃｓは、ＣＳ量を示す循環シフトインデックスである（０≦Ｉｃｓ≦Ｎ−１）。
【００５９】
基本シーケンスの可用（ａｖａｉｌａｂｌｅ）循環シフトインデックスは、ＣＳ間隔（ＣＳ  ｉｎｔｅｒｖａｌ）によって基本シーケンスから得る（ｄｅｒｉｖｅ）ことができる循環シフトインデックスを意味する。例えば、基本シーケンスの長さが１２であり、ＣＳ間隔が１の場合、基本シーケンスの可用循環シフトインデックスの総個数は１２となる。または、基本シーケンスの長さが１２であり、ＣＳ間隔が２の場合、基本シーケンスの可用循環シフトインデックスの総数は６となる。直交シーケンスインデックスｉ、循環シフトインデックスＩｃｓ、及びリソースブロックインデックスｍは、ＰＵＣＣＨを構成するために必要なパラメータであり、ＰＵＣＣＨ（又は、端末）を区分するときに使われるリソースである。
【００６０】
３ＧＰＰ  ＬＴＥにおいて、端末がＰＵＣＣＨを構成するための前記３個のパラメータを取得するために、リソースインデックス（ＰＵＣＣＨリソースインデックスとも呼ばれる）ｎ（１）ＰＵＣＣＨ、ｎ（２）ＰＵＣＣＨが定義される。ここで、ｎ（１）ＰＵＣＣＨは、ＰＵＣＣＨフォーマット１／１ａ／１ｂのためのリソースインデックスであり、ｎ（２）ＰＵＣＣＨは、ＰＵＣＣＨフォーマット２／２ａ／２ｂのためのリソースインデックスである。リソースインデックスｎ（１）ＰＵＣＣＨ＝ｎＣＣＥ＋Ｎ（１）ＰＵＣＣＨに定義され  、ｎＣＣＥは、対応するＤＣＩ（即ち、対応するＰＤＣＣＨの１番目のＣＣＥインデックス）の送信に使われる１番目のＣＣＥの番号であり、Ｎ（１）ＰＵＣＣＨは、基地局が端末に上位階層メッセージを介して知らせるパラメータである。より具体的には下記のように与えられる。
【００６１】
【化１】
0005716132.tif 000004
ｎ（２）ＰＵＣＣＨは、端末特定的に与えられ、半静的にＲＲＣのような上位階層信号により設定される。ＬＴＥでは‘ＣＱＩ−ＲｅｐｏｒｔＣｏｎｆｉｇ’というＲＲＣメッセージに含まれて与えられる。
【００６２】
端末は、リソースインデックスｎ（１）ＰＵＣＣＨ、ｎ（２）ＰＵＣＣＨを利用して直交シーケンスインデックス、循環シフトインデックスなどを決定する。
【００６３】
端末は、リソースインデックスにマッピングされる物理的リソースを利用してＰＵＣＣＨを送信する。
【００６４】
図７は、リソースインデックスと物理的リソースのマッピングの一例を示す。
【００６５】
端末は、リソースインデックスに基づいてリソースブロックインデックスｍを計算し、ＰＵＣＣＨフォーマットによって物理的リソースを割り当てた後、ＰＵＣＣＨを送信する。各端末別に割り当てられるリソースインデックスとマッピングされる物理的リソースブロックとの間には下記のような関係がある。
【００６６】
【化２】
0005716132.tif 000005
多重ノードシステムにおいて、各ノード別に又はノードグループ別に互いに異なる参照信号を送信することができる。まず、参照信号に対して説明する。
【００６７】
ＬＴＥ  Ｒｅｌ−８では、チャネル測定とＰＤＳＣＨに対するチャネル推定のために、ＣＲＳ（ｃｅｌｌ  ｓｐｅｃｉｆｉｃ  ｒｅｆｅｒｅｎｃｅ  ｓｉｇｎａｌ）を使用する。
【００６８】
図８は、ノーマルＣＰで、ＣＲＳのマッピングを示す。
【００６９】
図８を参照すると、複数のアンテナを使用する多重アンテナ送信の場合、各アンテナ毎にリソースグリッドが存在し、各アンテナのための少なくとも一つの参照信号がそれぞれのリソースグリッドにマッピングされることができる。各アンテナ別参照信号は、参照シンボルで構成され、図８において、Ｒｐは、アンテナポートｐの参照シンボルを示す（ｐ∈｛０，１，２，３｝）。Ｒ０〜Ｒ３は、互いに重複するリソース要素にマッピングされない。
【００７０】
一つのＯＦＤＭシンボルで、各Ｒｐは、６副搬送波間隔に位置することができる。サブフレーム内のＲ０の数とＲ１の数は同じであり、Ｒ２の数とＲ３の数は同じである。サブフレーム内のＲ２、Ｒ３の数はＲ０、Ｒ１の数より少ない。Ｒｐは、ｐ番アンテナを除いた他のアンテナを介してはいずれの送信にも使われない。
【００７１】
ＬＴＥ−Ａでは、チャネル測定、ＰＤＳＣＨに対するチャネル推定のために、ＣＲＳと別途にＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）が使われることができる。以下、ＣＳＩ−ＲＳに対して説明する。
【００７２】
ＣＳＩ−ＲＳは、ＣＲＳと違って、異種ネットワーク環境を含む多重セル環境でセル間干渉（ｉｎｔｅｒ−ｃｅｌｌ  ｉｎｔｅｒｆｅｒｅｎｃｅ、ＩＣＩ）を減らすために最大３２個の互いに異なる設定が存在する。
【００７３】
ＣＳＩ−ＲＳに対する設定は、セル内のアンテナポート数によって互いに異なり、隣接セル間に可能の限り互いに異なる設定になるように与えられる。ＣＳＩ−ＲＳは、ＣＰタイプによって区分され、フレーム構造タイプ（フレーム構造タイプ１は、ＦＤＤ、フレーム構造タイプ２は、ＴＤＤ）によってフレーム構造タイプ１、フレーム構造タイプ２の両方ともに適用される設定と、フレーム構造タイプ２にのみ適用される設定と、に区分される。
【００７４】
ＣＳＩ−ＲＳは、ＣＲＳと違って、最大８アンテナポートまでサポートし、アンテナポートｐは｛１５｝、｛１５，１６｝、｛１５，１６，１７，１８｝、｛１５，．．．，２２｝がサポートされる。即ち、１個、２個、４個、８個のアンテナポートをサポートする。副搬送波間の間隔Δｆは、１５ｋＨｚに対してのみ定義される。
【００７５】
ＣＳＩ−ＲＳに対するシーケンスｒｌ，ｎｓ（ｍ）は、以下の数式のように生成される。
【００７６】
【数３】
0005716132.tif 000006
前記数式３において、ｎｓは、無線フレーム内におけるスロットナンバであり、ｌは、スロット内におけるＯＦＤＭシンボルナンバである。ｃ（ｉ）は、疑似ランダムシーケンス（ｐｓｅｕｄｏ  ｒａｎｄｏｍ  ｓｅｑｕｅｎｃｅ）であり、ｃｉｎｉｔで各ＯＦＤＭシンボルで開始される。ＮＩＤｃｅｌｌは、物理階層セルＩＤを意味する。
【００７７】
ＣＳＩ−ＲＳを送信するように設定されたサブフレームにおいて、参照信号シーケンスｒｌ，ｎｓ（ｍ）は、アンテナポートｐに対する参照シンボルとして使われる複素値変調シンボルａｋ，ｌ（ｐ）にマッピングされる。
【００７８】
ｒｌ，ｎｓ（ｍ）とａｋ，ｌ（ｐ）の関係は、以下の数式の通りである。
【００７９】
【数４】
0005716132.tif 000007
前記数式４において、（ｋ′，ｌ′）とｎｓは、後述する表１及び表２で与えられる。ＣＳＩ−ＲＳは、（ｎｓ  ｍｏｄ２）が後述する表１及び表２の条件を満たすダウンリンクスロットで送信されることができる（ｍｏｄは、モジュラー演算を意味する。即ち、ｎｓを２で割った残りを意味する）。
【００８０】
以下の表は、ノーマルＣＰに対するＣＳＩ−ＲＳ設定を示す。
【００８１】
【表１】
0005716132.tif 000008
以下の表は、拡張ＣＰに対するＣＳＩ−ＲＳ設定を示す。
【００８２】
【表２】
0005716132.tif 000009
ＣＳＩ−ＲＳを含むサブフレームは、以下の数式を満たさなければならない。
【００８３】
【数５】
0005716132.tif 000010
また、ＣＳＩ−ＲＳは、以下の表３の条件を満たすサブフレームで送信されることができる。
【００８４】
以下の表３は、デューティサイクルと関連したＣＳＩ−ＲＳサブフレーム設定を示す。ｎｆは、システムフレームナンバである。
【００８５】
【表３】
0005716132.tif 000011
前記表３において、‘ＣＳＩ−ＲＳ−ＳｕｂｆｒａｍｅＣｏｎｆｉｇ’、即ち、ＩＣＳＩ−ＲＳは、上位階層により与えられる値であり、ＣＳＩ−ＲＳサブフレーム設定を示す。ＴＣＳＩ−ＲＳは、セル特定的サブフレーム設定周期を示し、ΔＣＳＩ−ＲＳは、セル特定的サブフレームオフセットを示す。ＣＳＩ−ＲＳは、ＣＱＩ／ＣＳＩフィードバックによって５つのデューティサイクルをサポートし、各セルで互いに異なるサブフレームオフセットを有して送信されることができる。
【００８６】
図９は、ノーマルＣＰで、ＣＳＩ−ＲＳ設定０に対するＣＳＩ−ＲＳのマッピングを示す。
【００８７】
図９を参照すると、２個のアンテナポート、例えば、ｐ＝｛１５，１６｝、｛１７，１８｝、｛１９，２０｝、｛２１，２２｝に対して連続する２個の同一リソース要素を使用してＣＳＩ−ＲＳを送信し、ＯＣＣ（ｏｒｔｈｏｇｏｎａｌ  ｃｏｖｅｒ  ｃｏｄｅ）を使用して送信する。
【００８８】
複数のＣＳＩ−ＲＳ設定が与えられたセルで使用可能であり、端末がｎｏｎ−ｚｅｒｏ送信電力を仮定する一つのＣＳＩ−ＲＳ設定と端末がｚｅｒｏ送信電力を仮定するＣＳＩ−ＲＳ設定を一つ以上又はないように設定することができる。
【００８９】
ＣＳＩ−ＲＳは、下記の場合に送信されない。
【００９０】
１．フレーム構造タイプ２の特別サブフレーム（ｓｐｅｃｉａｌ  ｓｕｂｆｒａｍｅ）
２．同期化信号、ＰＢＣＨ、ＳＩＢと衝突される場合
３．ページングメッセージが送信されるサブフレーム
集合Ｓの任意のアンテナポートに対するＣＳＩ−ＲＳの送信に使われるリソース要素（ｋ，ｌ）は、同一スロットで任意のアンテナポートに対するＰＤＳＣＨの送信に使われない。また、前記リソース要素（ｋ，ｌ）は、同一スロットで前記Ｓを除いた他の任意のアンテナポートに対するＣＳＩ−ＲＳ送信に使われない。ここで、集合Ｓに含まれるアンテナポートは、｛１５，１６｝、｛１７，１８｝、｛１９，２０｝、｛２１，２２｝である。
【００９１】
前述したＣＳＩ−ＲＳの送信に必要なパラメータは、１．ＣＳＩ−ＲＳポートナンバ、２．ＣＳＩ−ＲＳ設定情報、３．ＣＳＩ−ＲＳサブフレーム設定（ＩＣＳＩ−ＲＳ）、４．サブフレーム設定周期（ＴＣＳＩ−ＲＳ）、５．サブフレームオフセットΔＣＳＩ−ＲＳ等であり、このようなパラメータは、セル特定的であり、上位階層（ｈｉｇｈｅｒ  ｌａｙｅｒ）シグナリングを介して与えられる。
【００９２】
基地局は、前述したＣＲＳ、ＣＳＩ−ＲＳのような参照信号を、多重ノードシステムにおいて、端末が各ノードを識別するように適用することができる。
【００９３】
端末は、参照信号を測定してチャネル状態情報（ｃｈａｎｎｅｌ  ｓｔａｔｅ  ｉｎｆｏｒｍａｔｉｏｎ：ＣＳＩ）を生成した後、基地局又はノードにフィードバック又はリポーティングすることができる。チャネル状態情報は、ＣＱＩ、ＰＭＩ、ＲＩなどを含む。
【００９４】
チャネル状態情報を送信する方式は、周期的送信（ｐｅｒｉｏｄｉｃ  ｔｒａｎｓｍｉｓｓｉｏｎ）と非周期的送信（ａｐｅｒｉｏｄｉｃ  ｔｒａｎｓｍｉｓｓｉｏｎ）とがある。周期的送信は、普通ＰＵＣＣＨを介して送信されるが、ＰＵＳＣＨを介して送信されることもできる。非周期的送信は、基地局がより精密なチャネル状態情報が必要の場合、端末に要求して実行される。非周期的送信は、ＰＵＳＣＨを介して実行される。ＰＵＳＣＨを使用するため、より容量が大きくて詳細なチャネル状態リポーティングが可能である。周期的送信と非周期的送信が衝突すると、非周期的送信のみが送信される。
【００９５】
非周期的ＣＳＩフィードバックは、基地局の要求がある場合に実行される。基地局は、端末が接続する場合、ランダムアクセス応答グラント（ｒａｎｄｏｍ  ａｃｃｅｓｓ  ｒｅｓｐｏｎｓｅ  ｇｒａｎｔ）を端末に送信する時、ＣＳＩフィードバックを要求することができる。または、接続した端末にアップリンクスケジューリング情報を送るＤＣＩフォーマットを使用してＣＳＩフィードバックを要求することもできる。ＣＳＩフィードバックを要求するＣＳＩ要求フィールドは、１ビット又は２ビットで構成される。１ビットの場合、‘０’であると、ＣＳＩリポートがトリガリング（ｔｒｉｇｇｅｒｉｎｇ）されず、‘１’であると、ＣＳＩリポートがトリガリングされる。２ビットの場合は、以下の表の通りである。
【００９６】
【表４】
0005716132.tif 000012
ＣＳＩ要求フィールドによりＣＳＩリポートが活性化されると、端末は、ＤＣＩフォーマット０で指定したＰＵＳＣＨリソースを介してＣＳＩをフィードバックする。このとき、リポーティングモードによってフィードバックするＣＳＩが決定される。例えば、リポーティングモードによって、広帯域ＣＱＩ、端末選択的ＣＱＩ、上位階層設定ＣＱＩのうちいずれのＣＱＩをフィードバックするかが決定される。また、ＣＱＩと共に、フィードバックするＰＭＩの種類も決定される。ＰＵＳＣＨリポーティングモードは、上位階層メッセージを介して半静的に設定され、その一例は、以下の表５の通りである。
【００９７】
【表５】
0005716132.tif 000013
ＰＤＣＣＨを介してトリガリングされることによって送信される非周期的ＣＳＩフィードバックと違って、周期的ＣＳＩフィードバックは、上位階層メッセージを介して半静的に設定される。周期的ＣＳＩフィードバックの周期ＮｐｄとサブフレームオフセットＮＯＦＦＳＥＴ，ＣＱＩは、‘ｃｑｉ−ｐｍｉ−ＣｏｎｆｉｇＩｎｄｅｘ’（即ち、ＩＣＱＩ／ＰＭＩ）というパラメータを介して上位階層メッセージ（例えば、ＲＲＣメッセージ）で端末に伝達される。このパラメータ（ＩＣＱＩ／ＰＭＩ）と周期、サブフレームオフセットの関係は、ＦＤＤの場合、表６の通りであり、ＴＤＤの場合、表７の通りである。
【００９８】
【表６】
0005716132.tif 000014
【００９９】
【表７】
0005716132.tif 000015
周期的なＰＵＣＣＨリポーティングモードは、以下の表の通りである。
【０１００】
【表８】
0005716132.tif 000016
端末は、チャネル状態情報、例えば、ＣＱＩをフィードバックするために特定リソース領域の参照信号を測定しなければならない。ＣＱＩを生成するために測定しなければならないリソースをＣＱＩ参照リソースという。端末がアップリンクサブフレームｎでＣＱＩをフィードバックすると仮定する。このとき、ＣＱＩ参照リソースは、周波数領域でＣＱＩ値に関連した周波数帯域に対応されるダウンリンク物理的リソースブロックのグループに定義され、時間領域で一つのダウンリンクサブフレームｎ−ｎＣＱＩ＿ｒｅｆに定義される。
【０１０１】
周期的ＣＱＩフィードバックにおいて、ｎＣＱＩ＿ｒｅｆは、有効なダウンリンクサブフレームに対応される４以上の値のうち最小値である。非周期的ＣＱＩフィードバックにおいて、ｎＣＱＩ＿ｒｅｆは、対応されるＣＱＩ要求を含むアップリンクＤＣＩフォーマットを含む有効なダウンリンクサブフレームを指示する。
【０１０２】
非周期的ＣＱＩフィードバックにおいて、ダウンリンクサブフレームｎ−ｎＣＱＩ＿ｒｅｆがランダムアクセス応答グラント（Ｒａｎｄｏｍ  Ａｃｃｅｓｓ  Ｒｅｓｐｏｎｓｅ  Ｇｒａｎｔ）に含まれているＣＱＩ要求を含むサブフレーム以後に受信される場合、ｎＣＱＩ＿ｒｅｆは４であり、ダウンリンクサブフレームｎ−ｎＣＱＩ＿ｒｅｆは、有効なダウンリンクサブフレームに対応される。
【０１０３】
ダウンリンクサブフレームは、下記の条件を満たす場合、有効なダウンリンクサブフレームと見なされる。
【０１０４】
１．端末にダウンリンクサブフレームに設定され、２．送信モード９を除き、ＭＢＳＦＮ（ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）サブフレームではなく、３．ＤｗＰＴＳフィールドの長さが７６８０Ｔｓ以下ではなく、４．端末のために設定された測定ギャップに該当しないべきである。
【０１０５】
もし、ＣＱＩ参照リソースのための有効なダウンリンクサブフレームがない場合、アップリンクサブフレームｎでＣＱＩフィードバックは省略される。
【０１０６】
レイヤ領域（ｌａｙｅｒ  ｄｏｍａｉｎ）で、ＣＱＩ参照リソースは、該当ＣＱＩ値を条件としたＲＩ、ＰＭＩ値により定義される。
【０１０７】
ＣＱＩ参照リソースで、端末は、ＣＱＩインデックスを誘導するために、下記のような仮定下に動作する。
【０１０８】
１．ＣＱＩ参照リソースで、最初の３ＯＦＤＭシンボルは、制御信号により占有される。
【０１０９】
２．ＣＱＩ参照リソースでＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）又はＰＢＣＨ（ｐｈｙｓｉｃａｌ  ｂｒｏａｄｃａｓｔ  ｃｈａｎｎｅｌ）により使われるリソース要素はない。
【０１１０】
３．ＣＱＩ参照リソースで非ＭＢＳＦＮ（ｎｏｎ−ＭＢＳＦＮ）サブフレームのＣＰ長さを仮定。
【０１１１】
４．冗長バージョン０
以下の表は、ＣＱＩ参照リソースのために仮定されるＰＤＳＣＨの送信モードを示す。
【０１１２】
【表９】
0005716132.tif 000017
送信モード９及びそのフィードバックリポーティングモードで、端末は、ＣＳＩ−ＲＳのみに基づいてＣＱＩを計算するためのチャネル測定を実行する。その以外の送信モード及び該当リポーティングモードではＣＲＳに基づいてＣＱＩを計算するためのチャネル測定を実行する。
【０１１３】
端末がフィードバックするＣＱＩインデックスとその解析は、以下の表の通りである。
【０１１４】
【表１０】
0005716132.tif 000018
前述したように、従来の周期的ＣＱＩフィードバック又はリポーティング方法は、基地局が上位階層信号を介して周期的ＣＱＩフィードバックの周期（Ｎｐｄ）とサブフレームオフセット（ＮＯＦＦＳＥＴ，ＣＱＩ）を‘ｃｑｉ−ｐｍｉ−ＣｏｎｆｉｇＩｎｄｅｘ’（即ち、ＩＣＱＩ／ＰＭＩ）というパラメータを介して半静的に設定する。その後、端末は、ＣＱＩ参照リソースでＣＲＳ又はＣＳＩ−ＲＳを測定して前記パラメータ（即ち、ＩＣＱＩ／ＰＭＩ）により設定されたアップリンクサブフレームのＰＵＣＣＨを介してＣＱＩを送信する。このとき、端末は、一つの参照信号を測定して一つのＰＵＣＣＨを介してＣＱＩを送信することを前提にする。しかし、多重ノードシステムでは、端末に複数のノード又はノードグループが割り当てられることができ、各ノード又はノードグループ別に互いに異なる参照信号を使用することができる。この場合、端末は、複数の参照信号を測定し、各参照信号に対するＣＳＩ（例えば、ＣＱＩ）をリポーティングしなければならない。
【０１１５】
図１０は、一つの端末が測定しなければならない複数のＣＳＩ−ＲＳを例示する。
【０１１６】
図１０を参照すると、端末にＣＳＩ−ＲＳ＃０、ＣＳＩ−ＲＳ＃１が設定されることができる。ＣＳＩ−ＲＳ＃０は、ノード＃Ｎが送信するＣＳＩ−ＲＳであり、ＣＳＩ−ＲＳ＃１は、ノード＃Ｍが送信するＣＳＩ−ＲＳである。
【０１１７】
ＣＳＩ−ＲＳ＃０の送信周期とＣＳＩ−ＲＳ＃１の送信周期は、同じである。例えば、ＣＳＩ−ＲＳ＃０は、サブフレームｎ＋１０ｍで送信されることができる（ｍは、０又は自然数）。ＣＳＩ−ＲＳ＃１は、サブフレームｎ＋１＋１０ｍで送信されることができる。
【０１１８】
図１０に示したように、同一端末に互いに異なるサブフレームで送信されるＣＳＩ−ＲＳが設定されることができる。しかし、これに制限されるものではない。即ち、同一端末に同一サブフレームで送信される複数のＣＳＩ−ＲＳが設定されることもできる。
【０１１９】
図１１は、同一サブフレームで送信される複数のＣＳＩ−ＲＳが同一端末に設定される例を示す。
【０１２０】
図１１を参照すると、サブフレームｎではＣＳＩ−ＲＳ＃０、１が送信される。ＣＳＩ−ＲＳ＃０は、ノード＃Ｎが送信するＣＳＩ−ＲＳであり、ＣＳＩ−ＲＳ＃１は、ノード＃Ｍが送信するＣＳＩ−ＲＳである。
【０１２１】
前述したように、同一端末に複数のＣＳＩ−ＲＳが設定される場合、端末がＣＳＩを送信する方式が問題となる。
【０１２２】
図１２は、本発明の一実施例に係る端末のＣＳＩ送信方法を示す。
【０１２３】
図１２を参照すると、端末は、ＰＵＣＣＨ設定情報又はＰＵＣＣＨリソースインデックスを介して複数のＰＵＣＣＨリソースが設定される（Ｓ１１０）。
【０１２４】
ＰＵＣＣＨ設定情報又はＰＵＣＣＨリソースインデックスは、ＲＲＣメッセージのような上位階層信号を介して受信することができ、ＣＳＩを送信するＰＵＣＣＨリソースを半静的に設定することができる。
【０１２５】
端末は、複数の参照信号を受信する（Ｓ１２０）。端末は、複数のノード又はノードグループから送信される複数の参照信号を受信することができる。参照信号は、ＣＳＩ−ＲＳであり、各ＣＳＩ−ＲＳの設定が異なってもよい。
【０１２６】
端末は、複数の参照信号を測定して各参照信号に対するＣＳＩを生成する（Ｓ１３０）。ＣＳＩは、ＣＱＩであるが、これに制限されるものではなく、ＲＩ、ＰＭＩなどが含まれることができることは自明である。
【０１２７】
端末は、各参照信号に対するＣＳＩを前記複数のＰＵＣＣＨリソースを介して送信する（Ｓ１４０）。
【０１２８】
以下、端末がＰＵＣＣＨ設定情報又はＰＵＣＣＨリソースインデックスを介して複数のＰＵＣＣＨリソースが設定され、ＣＳＩを送信する過程を詳細に説明する。
【０１２９】
ＰＵＣＣＨ設定情報は、例えば、前述した‘ｃｑｉ−ｐｍｉ−ＣｏｎｆｉｇＩｎｄｅｘ’（即ち、ＩＣＱＩ／ＰＭＩ）である。基地局は、複数のＩＣＱＩ／ＰＭＩを同一端末に設定することができる。その後、端末は、各ＩＣＱＩ／ＰＭＩによって決定される周期的ＣＳＩフィードバックの周期ＮｐｄとサブフレームオフセットＮＯＦＦＳＥＴ，ＣＱＩに該当するアップリンクサブフレームのＰＵＣＣＨを介してＣＳＩを送信することができる。即ち、互いに異なるサブフレームに複数のＰＵＣＣＨリソースが設定される。
【０１３０】
または、基地局は、既存の方法のように一つのＩＣＱＩ／ＰＭＩを端末に提供し、追加的なＰＵＣＣＨに対するサブフレームオフセットＮＯＦＦＳＥＴ，ＣＱＩをシグナリングすることもできる。例えば、基地局がＩＣＱＩ／ＰＭＩ＿１とＮＯＦＦＳＥＴ，ＣＱＩ＿２をシグナリングすることができる。この場合、端末は、ＩＣＱＩ／ＰＭＩ＿１により周期的ＣＳＩフィードバックの周期Ｎｐｄ＿１とサブフレームオフセットＮＯＦＦＳＥＴ，ＣＱＩ＿１を決定する。ＩＣＱＩ／ＰＭＩ＿１により定められたアップリンクサブフレームをサブフレーム１とする時、前記サブフレーム１を基準としたサブフレームオフセット値をＮＯＦＦＳＥＴ，ＣＱＩ＿２を介して知ることができる。端末は、サブフレーム１を基準にサブフレームオフセット値ほど離隔されたサブフレーム２を介して追加的なＰＵＣＣＨを送信することができる。追加的に提供されるサブフレームオフセットＮＯＦＦＳＥＴ，ＣＱＩ＿２は、ＮＯＦＦＳＥＴ，ＣＱＩ＿１と同一形式に与えられることもでき、ＩＣＱＩ／ＰＭＩ＿１によるサブフレームオフセットＮＯＦＦＳＥＴ，ＣＱＩ＿１との差分値として与えられることもできる。即ち、‘ｃｑｉ−ｐｍｉ−ＣｏｎｆｉｇＩｎｄｅｘ’（ＩＣＱＩ／ＰＭＩ）に含まれているＣＳＩフィードバック周期をＰ、サブフレームオフセット値をＮ０、追加的なサブフレームオフセット値をＮ１とする時、追加的なサブフレームオフセット値を介して同一周期Ｐを有し、サブフレームオフセット値でＮ０＋Ｎ１値を有する周期的ＣＳＩフィードバックを端末に要求することができる。
【０１３１】
図１３は、端末に設定された複数のＣＳＩ−ＲＳに対するＣＳＩを複数のサブフレームに存在する複数のＰＵＣＣＨを介して送信する例を示す。端末に複数のＩＣＱＩ／ＰＭＩ又は一つのＩＣＱＩ／ＰＭＩと追加的なサブフレームオフセット値を介して複数のＰＵＣＣＨリソースが半静的に設定される状態である。
【０１３２】
図１３を参照すると、端末は、サブフレームｎ＋１０ｍ（ｍは、０又は自然数）で受信したＣＳＩ−ＲＳに対するＣＳＩをサブフレームｎ＋４＋１０ｍのＰＵＣＣＨを介してフィードバックする。また、サブフレームｎ＋１＋１０ｍで送信されるＣＳＩ−ＲＳに対するＣＳＩは、サブフレームｎ＋６＋１０ｍのＰＵＣＣＨを介してフィードバックする。このように、複数のＰＵＣＣＨを介して各ＣＳＩ−ＲＳに対するＣＳＩをリポーティングすることができる。
【０１３３】
図１３において、ＣＳＩをリポーティングする複数のＰＵＣＣＨが互いに異なるサブフレームに存在する場合を例示したが、これに制限されるものではない。即ち、複数のＰＵＣＣＨが同一サブフレームに存在することもできる。この場合、基地局は、複数のＰＵＣＣＨリソースインデックス（ｎ（２）ＰＵＣＣＨ）を端末に提供することができる。端末立場では同一サブフレーム内で複数のＰＵＣＣＨを送信するために、基地局から複数のＰＵＣＣＨリソースインデックスを受信しけなればならない。
【０１３４】
例えば、基地局は、端末に２個の互いに異なるＰＵＣＣＨリソースインデックス（ｎ（２）ＰＵＣＣＨ＿１、ｎ（２）ＰＵＣＣＨ＿２）を上位階層信号を介して指定することができる。２個のＰＵＣＣＨリソースインデックスは、順に、リソースブロックインデックスｍ＝０、ｍ＝１に該当するＰＵＣＣＨを指定すると仮定する。その後、端末は、ｍ＝０に該当するＰＵＣＣＨ（即ち、ｎ（２）ＰＵＣＣＨ＿１により指示されるＰＵＣＣＨ）を介してはＣＳＩ−ＲＳ＃０に対するＣＳＩをフィードバックし、ｍ＝１に該当するＰＵＣＣＨ（即ち、ｎ（２）ＰＵＣＣＨ＿２により指示されるＰＵＣＣＨ）を介してはＣＳＩ−ＲＳ＃１に対するＣＳＩをフィードバックすることができる。
【０１３５】
図１４は、同一端末に設定された複数のＣＳＩ−ＲＳに対するＣＳＩを同一サブフレームの複数のＰＵＣＣＨでフィードバックする一例を示す。
【０１３６】
図１４を参照すると、端末は、サブフレームｎ＋１０ｍ（ｍは、０又は自然数）で複数のＣＳＩ−ＲＳを受信することができる。端末は、サブフレームｎ＋４＋１０ｍで前記複数のＣＳＩ−ＲＳの各々に対するＣＳＩを互いに異なるＰＵＣＣＨを介して送信することができる。
【０１３７】
図１５は、同一端末に設定された複数のＣＳＩ−ＲＳに対するＣＳＩを同一サブフレームの複数のＰＵＣＣＨでフィードバックする他の例を示す。
【０１３８】
図１５を参照すると、端末は、サブフレームｎ＋１０ｍ、ｎ＋１＋１０ｍ（ｍは、０又は自然数）で複数のＣＳＩ−ＲＳを受信することができる。端末は、サブフレームｎ＋５＋１０ｍで前記複数のＣＳＩ−ＲＳの各々に対するＣＳＩを互いに異なるＰＵＣＣＨを介して送信することができる。
【０１３９】
本発明は、内容の理解のために、多重ノードシステムを例示したが、これに制限されるものではない。即ち、本発明は、任意のシステムで多重ＣＳＩ−ＲＳ設定を適用する場合に使用することができる。また、ＣＳＩの例として、主にＣＱＩを説明したが、ＲＩ、ＰＭＩなども適用可能であることはもちろんである。
【０１４０】
図１６は、基地局及び端末を示すブロック図である。
【０１４１】
基地局１００は、プロセッサ（ｐｒｏｃｅｓｓｏｒ）１１０、メモリ（ｍｅｍｏｒｙ）１２０）、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／又は方法を具現する。プロセッサ１１０は、端末にＰＵＣＣＨ設定情報又はＰＵＣＣＨリソースインデックスを介して複数のＰＵＣＣＨリソースを設定する。そして、制御する複数のノードのうち少なくとも２個以上のノードを介して端末に参照信号（例えば、ＣＳＩ−ＲＳ）を送信する。その後、端末から各参照信号に対する周期的ＣＳＩを直接受信し、又は特定ノードを介して受信することができる。このような周期的ＣＳＩは、基地局のスケジューリングに活用されることができる。メモリ１２０は、プロセッサ１１０と連結され、プロセッサ１１０を駆動するための多様な情報を格納する。ＲＦ部１３０は、プロセッサ１１０と連結され、無線信号を送信及び／又は受信する。ＲＦ部１３０は、有線で基地局１００に連結された複数のノードで構成されることができる。
【０１４２】
端末２００は、プロセッサ２１０、メモリ２２０、及びＲＦ部２３０を含む。プロセッサ２１０は、前述した機能及び方法を実行する。例えば、プロセッサ２１０は、基地局又はノードからＲＲＣメッセージのような上位階層信号を介してチャネル状態情報を送信することができるＰＵＣＣＨ（ｐｈｙｓｉｃａｌ  ｕｐｌｉｎｋ  ｃｏｎｔｒｏｌ  ｃｈａｎｎｅｌ）リソースが複数個設定される。このようなＰＵＣＣＨリソースは、周期的ＣＳＩを送信することができるリソースである。また、プロセッサ２１０は、複数個の参照信号が割り当てられたノードから受信し、複数個の参照信号の各々を測定してチャネル状態情報を生成する。その後、前記複数個の参照信号の各々に対するチャネル状態情報を複数個のＰＵＣＣＨリソースを介して送信する。端末に複数個のＰＵＣＣＨリソースが設定される方法及び複数のＰＵＣＣＨリソースを介して周期的ＣＳＩを送信する方法は前述の通りである。メモリ２２０は、プロセッサ２１０と連結され、プロセッサ２１０を駆動するための多様な情報を格納する。ＲＦ部２３０は、プロセッサ２１０と連結され、無線信号を送信及び／又は受信する。
【０１４３】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を送信及び／又は受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部又は外部にあり、よく知られた多様な手段によりプロセッサ１１０、２１０と連結されることができる。
【０１４４】
本発明は、ハードウェア、ソフトウェア又はこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニット又はこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【０１４５】
以上、本発明の好ましい実施例に対して詳細に記述したが、本発明が属する技術分野において通常の知識を有する者であれば、請求範囲に定義された本発明の精神及び範囲を外れない限り、本発明を多様に変形又は変更して実施可能であることを知ることができる。したがって、本発明の実施例の変更は、本発明の技術を外れることができない。
【図１】
0005716132.tif 000019
【図２】
0005716132.tif 000020
【図３】
0005716132.tif 000021
【図４】
0005716132.tif 000022
【図５】
0005716132.tif 000023
【図６】
0005716132.tif 000024
【図７】
0005716132.tif 000025
【図８】
0005716132.tif 000026
【図９】
0005716132.tif 000027
【図１０】
0005716132.tif 000028
【図１１】
0005716132.tif 000029
【図１２】
0005716132.tif 000030
【図１３】
0005716132.tif 000031
【図１４】
0005716132.tif 000032
【図１５】
0005716132.tif 000033
【図１６】
0005716132.tif 000034